(57)【特許請求の範囲】
【請求項１】
下蓋を回動開放可能に設けた側板と、
この側板に帯状のラベルをロール状に巻いた状態で保持する保持部と、
この保持部から帯状に繰り出された前記ラベルをその上面に移送可能とするプラテンと、を有し、
前記ラベルを被貼付け体に貼り付け可能とするとともに、
前記プラテンは、これを前記側板に対して閉鎖位置および開放位置に回動可能として前記ラベルを当該携帯式ラベル貼付け機内に装填可能とした携帯式ラベル貼付け機におけるプラテン開放機構であって、
前記下蓋は、前記プラテンに突出形成したフランジ部に係脱可能なプラテン開放用係脱部を形成し、
前記下蓋の前記側板に対する開放操作にともなって前記プラテンを前記側板から開放状態とすることを特徴とする携帯式ラベル貼付け機におけるプラテン開放機構。
【請求項２】
下蓋を回動開放可能に設けた側板と、
この側板に帯状のラベルをロール状に巻いた状態で保持する保持部と、
この保持部から帯状に繰り出された前記ラベルに印字する印字器およびこの印字器に対向して前記ラベルをその上面に移送可能とするプラテンを備えた印字部と、を有し、
この印字部により印字した前記ラベルを被貼付け体に貼り付け可能とするとともに、
前記プラテンは、これを前記側板に対して閉鎖位置および開放位置に回動可能として前記ラベルを当該携帯式ラベル貼付け機内に装填可能とした携帯式ラベル貼付け機におけるプラテン開放機構であって、
前記下蓋は、前記プラテンに突出形成したフランジ部に係脱可能なプラテン開放用係脱部を形成し、
前記下蓋の前記側板に対する開放操作にともなって前記プラテンを前記側板から開放状態とすることを特徴とする携帯式ラベル貼付け機におけるプラテン開放機構。
【請求項３】
前記フランジ部は、その上面部に上面係脱面を有し、
前記プラテン開放用係脱部は、その内方部に下面係脱面を有するとともに、
前記下蓋の前記側板からの開放操作にともなってこの下面係脱面が前記フランジ部の前記上面係脱面に摺接して前記プラテンを開放操作することを特徴とする請求項１乃至２記載の携帯式ラベル貼付け機におけるプラテン開放機構。
【請求項４】
前記フランジ部は、その先端部をテーパー形状としたフランジテーパー面を有し、
前記プラテン開放用係脱部は、その先端部をテーパー形状とした係脱テーパー面を有するとともに、
前記下蓋の前記側板への閉鎖操作にともなってこの係脱テーパー面が前記フランジテーパー面と係脱可能であることを特徴とする請求項１乃至２記載の携帯式ラベル貼付け機におけるプラテン開放機構。
【請求項５】
前記プラテン開放用係脱部は、
前記プラテンが前記側板から開放した状態で、前記フランジ部から離脱することを特徴とする請求項１乃至２記載の携帯式ラベル貼付け機におけるプラテン開放機構。
【請求項６】
前記フランジ部は、
前記プラテンにおけるその長さを選択することにより、前記プラテンの開放位置を調節可能であることを特徴とする請求項１乃至２記載の携帯式ラベル貼付け機におけるプラテン開放機構。
【請求項７】
前記プラテン開放用係脱部は、
前記下蓋において前記フランジ部に対する相対位置を選択することにより、前記プラテンの開放位置を調節可能であることを特徴とする請求項１乃至２記載の携帯式ラベル貼付け機におけるプラテン開放機構。
【請求項８】
前記プラテンは、
前記側板に形成している第１のストッパーおよび第２のストッパーの間においてこれを開閉可能としていることを特徴とする請求項１乃至７のいずれかに記載の携帯式ラベル貼付け機におけるプラテン開放機構。
【請求項９】
前記プラテンは、
前記側板に形成しているガイド溝に沿ってこれを回動可能としていることを特徴とする請求項１乃至８のいずれかに記載の携帯式ラベル貼付け機におけるプラテン開放機構。
【請求項１０】
前記プラテンは、
前記側板内における前記閉鎖位置と、前記下蓋の開放操作にともなう第１の開放位置と、この第１の開放位置から前記プラテン自体をさらに開放操作した第２の開放位置と、の間に、これを開閉可能としていることを特徴とする請求項１乃至９のいずれかに記載の携帯式ラベル貼付け機におけるプラテン開放機構。
【請求項１１】
前記プラテンおよび前記下蓋は、
互いに反対方向に開閉することを特徴とする請求項１乃至１０のいずれかに記載の携帯式ラベル貼付け機におけるプラテン開放機構。
【発明の詳細な説明】
【技術分野】
【０００１】
本発明は携帯式ラベル貼付け機におけるプラテン開放機構にかかるもので、とくに帯状のラベルを装填して移送し、所望の被貼付け体に貼付け操作を行うための携帯式ラベル貼付け機におけるプラテン開放機構に関するものである。
【背景技術】
【０００２】
従来から、携帯式ラベル貼付け機を用いて、各種商品その他の被貼付け体にラベルを貼り付け、商品の価格やその他必要な情報を表示することが行われている。
この携帯式ラベル貼付け機の一例を図１２および図１３にもとづき概説する。
図１２は、従来の携帯式ラベル貼付け機１の側面図であって、携帯式ラベル貼付け機１は、左右（紙面表裏）一対の側板２と、ラベル３の保持部４と、操作レバー５と、移送部６と、印字部７と、剥離部８と、貼付け部９と、を有する。
【０００３】
左右一対の側板２は、操作者が握持可能なグリップ１０を一体に形成するとともに、このグリップ１０に対して回動軸１１のまわりに操作レバー５を回動操作可能としている。
【０００４】
ラベル３は、帯状の台紙１２に複数枚のラベル片１３を仮着したもので、これをロール状に巻いて保持部４に保持するとともに、操作レバー５の操作にともなって、移送部６により印字部７方向にラベル３を帯状に繰り出し、剥離部８で台紙１２からラベル片１３を剥離し、貼付け部９によりラベル片１３を被貼付け体（図示せず）に貼り付け可能とする。
【０００５】
保持部４は、左右一対の側板２の上面に左右（紙面表裏）一対の保持板１４を取り付けてあり、いずれか一方の保持板１４をいずれかの側板２に対して回動ないし開放可能として、左右一対の保持板１４の間にロール状のラベル３を保持可能としてある。
【０００６】
移送部６は、ローラー軸１５のまわりに回転する移送ローラー１６を有し、操作レバー５をグリップ１０とともに握持することにより、リンク機構（図示せず）を介してローラー軸１５のまわりに移送ローラー１６を所定ピッチだけ回転してラベル３を移送可能とする。
【０００７】
印字部７は、操作レバー５における二股状のヨーク部５Ａの先端部側に取り付けた印字器１７と、ローラー軸１５のまわりに回動開放可能としたプラテン１８と、インキローラー１９と、を有し、インキローラー１９により印字器１７の活字にインキを塗布し、プラテン１８の上面に移送されてきたラベル３（ラベル片１３）に所定の情報を印字する。
【０００８】
剥離部８は、プラテン１８の下流側に設けた剥離ピン２０を有し、剥離ピン２０において台紙１２のみを後方に転向させ、ラベル片１３を台紙１２から剥離する。
【０００９】
貼付け部９は、側板２の先端下方部に位置する貼付けローラー２１を有し、剥離部８により剥離したラベル３（ラベル片１３）を被貼付け体に貼り付け可能とする。この貼付けローラー２１は、開閉軸２２のまわりに回転可能である。
【００１０】
なお、左右一対の側板２の下方部には、上記開閉軸２２のまわりに下蓋２３を回動開放可能に設け、ラベル３の携帯式ラベル貼付け機１内への装填を可能とする。
下蓋２３の先端部（開閉軸２２の反対側の端部）には開閉用つまみ２４が設けられている。
【００１１】
こうした構成の携帯式ラベル貼付け機１にラベル３を装填する操作について図１３にもとづき概説する。
図１３は、図１２に図示の状態からラベル３を装填する操作を示す側面図であって、図１３（１）は、下蓋２３を側板２に対して開放した状態を示す一部切欠き要部側面図、図１３（２）は、図１３（１）の状態からさらにプラテン１８を開放した状態を示す要部側面図である。
図１３（１）に示すように、携帯式ラベル貼付け機１の操作者は、指先Ｆで下蓋２３の先端部（開閉用つまみ２４）を引っ掛けて開閉軸２２のまわりに回動開放する。ついで、指先Ｆによりプラテン１８の先端部（剥離ピン２０が設けられている端部）を引っ掛けてローラー軸１５のまわりに回動開放する。
【００１２】
かくして図１３（２）に示すように、左右一対の側板２の底部において、移送ローラー１６と開閉軸２２との間にラベル３の挿通路２５が形成され、保持部４から帯状に繰り出されたラベル３を挿通路２５に挿通し、プラテン１８をもとに回動閉鎖するとともに、下蓋２３ももとの位置に回動閉鎖することにより、ラベル３の携帯式ラベル貼付け機１への装填を完了する。
【００１３】
しかしながら、上述のようにラベル３の挿通操作は、下蓋２３およびプラテン１８の開放という二操作を必要としているため、とくに携帯式ラベル貼付け機１の使用方法に慣れていない操作者にとっては、下蓋２３の回動開放操作は容易に行うことができても、つぎに行うプラテン１８の開放操作が分からずにラベル３を挿通することができないという問題がある。
【００１４】
さらに、プラテン１８の先端部を指先Ｆで引っ掛けて開放することは分かっていても、プラテン１８の先端部あるいは剥離ピン２０と開閉軸２２ないしは剥離ローラー２１との間が狭いために、指先Ｆが入りにくくてプラテン１８の開放操作を行いにくいという問題がある。
また、プラテン１８の先端部から側板２の内方部まで指先Ｆを入れてしまった場合には指先Ｆがインキローラー１９に接触して汚れてしまうという問題、あるいは、プラテン１８の上面にラベル３を通さない状態で操作レバー５を握持して印字器１７によるスタンプ操作を行う場合があるために、プラテン１８の上面は往々にしてインキにより汚れている場合があり、プラテン１８を開放操作する際に指先Ｆの先部を汚してしまうという問題もある。
【００１５】
なお、携帯式ラベル貼付け機１のラベル３への装填にあたって、下蓋２３の開放位置に関係なく、操作者がプラテン１８の開放状態ないし開放位置を任意に選択して、装填操作を容易にすることも要請されている。
【００１６】
なおまた、あらかじめ販売促進情報や広告情報などを印刷したラベル３を貼り付ける際には、印字部７を設けず、操作レバー５の操作のみで、ラベル３（ラベル片１３）を剥離して貼り付けることができるが、このように構成した携帯式ラベル貼付け機の場合であっても、ラベル３の装填については同様の問題がある。
【先行技術文献】
【特許文献】
【００１７】
【特許文献１】特開平１０−２４９１５号公報
【発明の概要】
【発明が解決しようとする課題】
【００１８】
本発明は以上のような諸問題にかんがみなされたもので、下蓋の開放操作という一操作のみでプラテンも同時に開放可能とした携帯式ラベル貼付け機におけるプラテン開放機構を提供することを課題とする。
【００１９】
また本発明は、携帯式ラベル貼付け機の使用方法に慣れていない操作者にも簡単にラベルの挿通路を形成することができるようにした携帯式ラベル貼付け機におけるプラテン開放機構を提供することを課題とする。
【００２０】
また本発明は、下蓋の開放にともなってプラテンも開放可能とし、さらなるプラテンの開放操作をより容易にすることができる携帯式ラベル貼付け機におけるプラテン開放機構を提供することを課題とする。
【００２１】
また本発明は、下蓋の開放にともなってプラテンも開放可能とし、閉鎖状態のプラテンの先端部を指先で無理に引っ掛けることなく、その開放操作をより容易にすることができる携帯式ラベル貼付け機におけるプラテン開放機構を提供することを課題とする。
【００２２】
また本発明は、下蓋の開放にともなってプラテンも開放可能とし、下蓋の状態にかかわらずプラテンの開放位置を任意に選択してラベルの取扱いや装填操作を容易にすることができる携帯式ラベル貼付け機におけるプラテン開放機構を提供することを課題とする。
【課題を解決するための手段】
【００２３】
すなわち本発明は、下蓋の側板に対する開放操作に連動してプラテンを側板から開放状態とすることに着目したもので、第一の発明は、下蓋を回動開放可能に設けた側板と、この側板に帯状のラベルをロール状に巻いた状態で保持する保持部と、この保持部から帯状に繰り出された上記ラベルをその上面に移送可能とするプラテンと、を有し、上記ラベルを被貼付け体に貼り付け可能とするとともに、上記プラテンは、これを上記側板に対して閉鎖位置および開放位置に回動可能として上記ラベルを当該携帯式ラベル貼付け機内に装填可能とした携帯式ラベル貼付け機におけるプラテン開放機構であって、上記下蓋の上記側板に対する開放操作にともなって上記プラテンを上記側板から開放状態とすることを特徴とする携帯式ラベル貼付け機におけるプラテン開放機構である。
【００２４】
第二の発明は、第一の発明における携帯式ラベル貼付け機に印字部を設けた構成を有する。
すなわち、第二の発明は、下蓋を回動開放可能に設けた側板と、この側板に帯状のラベルをロール状に巻いた状態で保持する保持部と、この保持部から帯状に繰り出された上記ラベルに印字する印字器およびこの印字器に対向して上記ラベルをその上面に移送可能とするプラテンを備えた印字部と、を有し、この印字部により印字した上記ラベルを被貼付け体に貼り付け可能とするとともに、上記プラテンは、これを上記側板に対して閉鎖位置および開放位置に回動可能として上記ラベルを当該携帯式ラベル貼付け機内に装填可能とした携帯式ラベル貼付け機におけるプラテン開放機構であって、上記下蓋の上記側板に対する開放操作にともなって上記プラテンを上記側板から開放状態とすることを特徴とする携帯式ラベル貼付け機におけるプラテン開放機構である。
【００２５】
上記下蓋は、上記プラテンに突出形成したフランジ部に係脱可能なプラテン開放用係脱部を形成していることができる。
【００２６】
上記フランジ部は、その上面部に上面係脱面を有し、上記プラテン開放用係脱部は、その内方部に下面係脱面を有するとともに、上記下蓋の上記側板からの開放操作にともなってこの下面係脱面が上記フランジ部の上記上面係脱面に摺接して上記プラテンを開放操作することができる。
【００２７】
上記フランジ部は、その先端部をテーパー形状としたフランジテーパー面を有し、上記プラテン開放用係脱部は、その先端部をテーパー形状とした係脱テーパー面を有するとともに、上記下蓋の上記側板への閉鎖操作にともなってこの係脱テーパー面が上記フランジテーパー面と係脱可能であることができる。
【００２８】
上記プラテン開放用係脱部は、上記プラテンが上記側板から開放した状態で、上記フランジ部から離脱することができる。
【００２９】
上記フランジ部は、上記プラテンにおけるその長さを選択することにより、上記プラテンの開放位置を調節可能であることができる。
【００３０】
上記プラテン開放用係脱部は、上記下蓋において上記フランジ部に対する相対位置を選択することにより、上記プラテンの開放位置を調節可能であることができる。
【００３１】
上記プラテンは、上記側板に形成している第１のストッパーおよび第２のストッパーの間においてこれを開閉可能としていることができる。
【００３２】
上記プラテンは、上記側板に形成しているガイド溝に沿ってこれを回動可能としていることができる。
【００３３】
上記プラテンは、上記側板内における上記閉鎖位置と、上記下蓋の開放操作にともなう第１の開放位置と、この第１の開放位置から上記プラテン自体をさらに開放操作した第２の開放位置と、の間に、これを開閉可能としていることができる。
【００３４】
上記プラテンおよび上記下蓋は、互いに反対方向に開閉することができる。
【００３５】
上記プラテンの開放にともなう上記ラベルの上記挿通路を形成する内部構成については、任意のものを採用可能である。
【発明の効果】
【００３６】
本発明による携帯式ラベル貼付け機におけるプラテン開放機構においては、下蓋の側板に対する開放操作に連動してプラテンを側板から開放状態（第１の開放位置）とするようにしたので、プラテンの先端部と貼付け部の貼付けローラーとの間に十分な間隔をあけることが可能となり、指先をインキで汚すこともなく、プラテンのさらなる開放操作を容易に行うことができ、ラベルの携帯式ラベル貼付け機内への装填のための挿通路を容易に形成することができる。
【００３７】
とくに第一の発明の携帯式ラベル貼付け機におけるプラテン開放機構によれば、ラベルへの印字操作の有無にかかわらず、ラベルの携帯式ラベル貼付け機内への装填操作を容易とすることができる。
【００３８】
とくに第二の発明の携帯式ラベル貼付け機におけるプラテン開放機構によれば、ラベルへの印字を行うためのラベルの携帯式ラベル貼付け機内への装填操作を容易とすることができる。
【図面の簡単な説明】
【００３９】
【図１】本発明の実施例によるプラテン開放機構３３を装備した携帯式ラベル貼付け機３０の下蓋２３の開放状態およびプラテン１８の開放状態（第１の開放位置）を示す一部切欠き要部側面図である。
【図２】同、プラテン１８の斜視図である。
【図３】同、図２のＸ−Ｘの線断面図である。
【図４】同、下蓋２３の斜視図である。
【図５】同、図４のＹ−Ｙの線断面図である。
【図６】同、一方の側板３１の内壁面側を示す側面図である。
【図７】同、下蓋２３およびプラテン１８の閉鎖状態を示す要部側面図である。
【図８】同、図７のＺ−Ｚの線断面図である。
【図９】同、下蓋２３の開閉用係合片４２を側板３１の開閉用係合突起４３から外して開き始めた状態の要部側面図である。
【図１０】同、図９のα−αの線断面図である。
【図１１】同、下蓋２３を開き、さらにプラテン１８を完全に開いた状態（第２の開放位置）を示す要部側面図である。
【図１２】従来の携帯式ラベル貼付け機１の側面図である。
【図１３】同、図１２に図示の状態からラベル３を装填する操作を示す要部側面図であって、図１３（１）は、下蓋２３を側板２に対して開放した状態を示す一部切欠き要部側面図、図１３（２）は、図１３（１）の状態からさらにプラテン１８を開放した状態を示す要部側面図である。
【発明を実施するための形態】
【００４０】
本発明は、下蓋の側板に対する開放操作にともなってプラテンを側板から開放状態とするようにしたので、下蓋の開放操作のみにより一動作でプラテンを開放状態とすることができ、部品点数も少なくすることができるとともに、操作者がプラテンの開放操作を容易に行うことができる携帯式ラベル貼付け機におけるプラテン開放機構を実現した。
【実施例】
【００４１】
つぎに本発明の実施例による携帯式ラベル貼付け機におけるプラテン開放機構を図１ないし図１１にもとづき説明する。ただし、図１２および図１３と同様の部分には同一符号を付し、その詳述はこれを省略する。
図１は、上記プラテン開放機構を装備した携帯式ラベル貼付け機３０の下蓋２３の開放状態およびプラテン１８の開放状態（第１の開放位置、後述）を示す一部切欠き要部側面図である。
携帯式ラベル貼付け機３０は、携帯式ラベル印字貼付け機１（図１２）と同様に、左右（紙面表裏）一対の前記側板２に相当する左右一対の側板３１と、前記ラベル３の前記保持部４に相当する保持部３２と、前記操作レバー５、移送部６、印字部７、剥離部８および貼付け部９と、上記プラテン開放機構３３と、を有する。
【００４２】
左右一対の側板３１は、印字部７を保護するガード部３４と、保持部３２と、を一体に有するとともに、前記開閉軸２２のまわりに前記下蓋２３を回動開放可能に設けている。
さらに左右一対の側板３１は、保持部３２からガード部３４にわたって、あるいは保持部３２とガード部３４との間に、印字部７およびインキローラー１９の左右側面部が外部から視認可能な窓部３５を開口形成している。
保持部３２は、左右一対の側板３１に帯状のラベル３をロール状に巻いた状態で保持する。
【００４３】
プラテン開放機構３３は、下蓋２３の側板３１に対する開放操作にともなってプラテン１８を側板３１から開放状態（第１の開放位置、後述）とする。
すなわち、図２はプラテン１８の斜視図、図３は、図２のＸ−Ｘの線断面図であって、プラテン１８は、その左右両端部にラベル３の移送方向における所定長さおよび幅にわたってフランジ部３６を突出形成している。
フランジ部３６は、その上面部に上面係脱面３６Ａを有し、その下面部側には、その先端部をテーパー形状としたフランジテーパー面３６Ｂを有している。
【００４４】
図４は、下蓋２３の斜視図、図５は、図４のＹ−Ｙの線断面図であって、下蓋２３は、プラテン１８に突出形成したフランジ部３６に係脱可能なフック状のプラテン開放用係脱部３７をプラテン１８のフランジ部３６に向かって突出形成している。
プラテン開放用係脱部３７は、下蓋２３の開閉軸２２側にフランジ部３６に対向するように位置して形成したほぼ三角形状を呈し、その内方部に下面係脱面３７Ａを有するとともに、その上面部側には、その先端部をテーパー形状とした係脱テーパー面３７Ｂを有する。
【００４５】
なお、プラテン１８および下蓋２３は、互いに反対方向に開閉する。
具体的には、とくに図１に示すように、プラテン１８は、ローラー軸１５のまわりに反時計方向に開放回動し、時計方向に閉鎖回動する。
一方、下蓋２３は、開閉軸２２のまわりに時計方向に開放回動し、反時計方向に閉鎖回動する。
【００４６】
図６は、一方の側板３１の内壁面側を示す側面図であり、プラテン１８は、側板３１に形成している第１のストッパー３８および第２のストッパー３９の間においてこれを開閉可能としている。なお第１のストッパー３８は、プラテン１８上に移送されてくるラベル３の上面を押さえて、移送にともなうラベル３のバタ付きを防止するラベル押さえとしても機能する。
また、プラテン１８は、その両側面にガイド突起４０（図２）をそれぞれ形成してあり、側板３１に形成している弧状のガイド溝４１にこのガイド突起４０を嵌め込んだ状態でガイド溝４１に沿ってこれを回動可能としている。
すなわち、プラテン１８は、側板３１内における閉鎖位置（第１のストッパー３８の位置、とくに図７、図８に示す位置）と、下蓋２３の開放操作にともなう第１の開放位置（第１のストッパー３８の位置と第２のストッパー３９の位置の途中の位置）と、プラテン１８自体を最後まで完全に開放操作することによる第２の開放位置（第２のストッパー３９の位置、とくに図１１に示す位置）と、の間に、これを開閉可能としている。
【００４７】
なお、とくに図４に示すように、下蓋２３には、開閉用係合片４２を形成し、開閉用つまみ２４を操作することにより、左右一対の側板３１の内壁面に形成してある開閉用係合突起４３（図６）に係合可能として、下蓋２３の閉鎖状態を確保している。
【００４８】
図７は、下蓋２３およびプラテン１８の閉鎖状態を示す要部側面図、図８は、図７のＺ−Ｚの線断面図であって、プラテン１８が第１のストッパー３８の底部に当接状態で下蓋２３がその下方に位置してプラテン１８はその閉鎖状態に収まっており、ガイド突起４０がガイド溝４１の最奥部に位置し、その上面をラベル３が移送されるようになっている。
また、プラテン１８のフランジ部３６と下蓋２３のプラテン開放用係脱部３７との間には、図８に示すように所定の間隔があいており、この閉鎖状態では下蓋２３とプラテン１８との間の相互作用はない。
【００４９】
なお、プラテン１８は、とくに図７に示すように、その上方端部に形成した連結突起４４を可動ガイド４５に連結してあり、プラテン１８の開閉にともなって可動ガイド４５がガイド軸４６のまわりに可動し、ラベル３の挿通路２５(図１)を形成可能としている。
【００５０】
こうした構成の携帯式ラベル貼付け機３０およびプラテン開放機構３３において、下蓋２３を開き、プラテン１８をこれに連動して開いて携帯式ラベル貼付け機３０内にラベル３の挿通路２５を形成する手順について説明する。
図９は、下蓋２３の開閉用係合片４２を側板３１の開閉用係合突起４３から外して開き始めた状態の要部側面図、図１０は、図９のα−αの線断面図であって、図９に示すように、下蓋２３の開放操作にともなって、図８の閉鎖状態から、そのプラテン開放用係脱部３７がプラテン１８におけるフランジ部３６に係合し始め、とくに図１０に示すように、下蓋２３の開放動作にともなって、下蓋２３におけるプラテン開放用係脱部３７の下面係脱面３７Ａがプラテン１８におけるフランジ部３６の上面係合面３６Ａに係合し始めている。
【００５１】
下蓋２３をさらに開放操作するにともなって、プラテン開放用係脱部３７の下面係脱面３７Ａがフランジ部３６の上面係脱面３６Ａに摺接しながら移動してプラテン１８をローラー軸１５のまわりに反時計方向に回動させることにより、第１の開放位置まで回動させる。
ただし、プラテン開放用係脱部３７は、プラテン１８が側板３１から開放した第１の開放位置まで回動した状態で、フランジ部３６から離脱するため、下蓋２３をこれ以上開いてもプラテン１８はこの第１の開放位置で停止状態にある（図１を参照）。
【００５２】
図１１は、下蓋２３を開き、さらにプラテン１８を完全に開いた状態（第２の開放位置）を示す要部側面図であって、下面係脱面３７Ａが上面係合面３６Ａ上を滑りながら、プラテン１８をローラー軸１５のまわりに反時計方向に回動開放させた第１の開放位置から操作者は指先Ｆにより完全開放位置（第２の開放位置）まで開くことができる。
【００５３】
すなわち操作者としては、下蓋２３を開放操作するだけで、プラテン１８が側板３１から略半分開いた状態（第１の開放位置）となり、プラテン１８の先端部を指先Ｆで引っ掛けて、あるいはプラテン１８の側面を持ってさらに開くための予備開放位置を実現することができる。
プラテン１８が第２のストッパー３９に当接する位置までさらに回動操作することにより、プラテン１８をその第２の開放位置まで開放することができる。
【００５４】
上述のように、側板３１内に挿通路２５を形成して保持部３２からラベル３を帯状に延ばしてプラテン１８上に挿通し、プラテン１８をその閉鎖位置まで、図１１中、時計方向に閉鎖し、さらに下蓋２３を側板３１に対して閉鎖方向（反時計方向）に操作すると、下蓋２３におけるプラテン開放用係脱部３７の係脱テーパー面３７Ｂがプラテン１８におけるフランジ部３６のフランジテーパー面３６Ａに係合するとともに、互いに弾性変形して、プラテン開放用係脱部３７およびフランジ部３６が互いを乗りこえ合って、図８に示すようなプラテン開放用係脱部３７がフランジ部３６の内方側（上方側）に位置する状態に収まり、開閉用つまみ２４を開閉用係合突起４３に係合して装填閉鎖状態とすることができる。
すなわち、下蓋２３の側板３１への閉鎖操作にともなって係脱テーパー面３７Ｂがフランジテーパー面３６Ｂと係脱可能であって、閉鎖状態への復帰も容易である。
【００５５】
かくして、操作者としては、下蓋２３を開放操作するだけでプラテン１８を開放させた位置（第１の開放位置、図１を参照）に回動させることができ、携帯式ラベル貼付け機３０の操作に不慣れな操作者もプラテン１８の開放状態を見て、つぎの動作であるプラテン１８の先端部に指先Ｆを引っ掛ける動作を容易に思いつくことができ、プラテン１８のさらなる開放操作も容易である。
【００５６】
なお、本発明においては、フランジ部３６およびプラテン開放用係脱部３７の互いの相対位置を任意に設計することにより、プラテン１８の当初の開放程度ないし開放位置（第１の開放位置）を調節可能である。
たとえば、下蓋２３におけるプラテン開放用係脱部３７の位置が固定であっても、プラテン１８におけるフランジ部３６の長さ、とくに開閉軸２２側のその先端部の位置（プラテン開放用係脱部３７のフランジ部３６からの離脱位置）を選択することにより、プラテン１８の開放位置（第１の開放位置）を調節可能である。
あるいは、プラテン１８におけるフランジ部３６の長さが一定であっても、下蓋２３におけるプラテン開放用係脱部３７の開閉軸２２からの間隔を選択して、フランジ部３６に対する相対位置を選択することにより、同じくプラテン１８の開放位置（第１の開放位置）を調節可能である。
【符号の説明】
【００５７】
１  携帯式ラベル貼付け機（従来、図１２）
２  左右一対の側板
３  ラベル
４  保持部
５  操作レバー
５Ａ  操作レバー５のヨーク部
６  移送部
７  印字部
８  剥離部
９  貼付け部
１０  グリップ
１１  回動軸
１２  帯状の台紙
１３  ラベル片
１４  保持板
１５  ローラー軸
１６  移送ローラー
１７  印字器
１８  プラテン（図２、図３）
１９  インキローラー
２０  剥離ピン
２１  貼付けローラー
２２  開閉軸
２３  下蓋（図４、図５）
２４  下蓋２３の開閉用つまみ
２５  ラベル３の挿通路
３０  携帯式ラベル貼付け機（図１）
３１  左右一対の側板
３２  保持部
３３  携帯式ラベル貼付け機３０におけるプラテン開放機構（実施例、図１）
３４  ガード部
３５  窓部
３６  プラテン１８のフランジ部（図２、図３）
３６Ａ  フランジ部３６の上面係合面
３６Ｂ  フランジ部３６のフランジテーパー面
３７  下蓋２３のプラテン開放用係脱部（図４、図５）
３７Ａ  プラテン開放用係脱部３７の下面係脱面
３７Ｂ  プラテン開放用係脱部３７の係脱テーパー面
３８  側板３１の内壁面に形成したプラテン１８用の第１のストッパー（図６）
３９  側板３１の内壁面に形成したプラテン１８用の第２のストッパー（図６）
４０  プラテン１８のガイド突起
４１  側板３１の内壁面に形成したガイド溝
４２  下蓋２３の開閉用係合片
４３  側板３１の内壁面に形成した開閉用係合突起
４４  プラテン１８の連結突起
４５  可動ガイド
４６  ガイド軸
Ｆ    指先（図１、図１３）
【図１】
0005523139.tif 000002
【図２】
0005523139.tif 000003
【図３】
0005523139.tif 000004
【図４】
0005523139.tif 000005
【図５】
0005523139.tif 000006
【図６】
0005523139.tif 000007
【図７】
0005523139.tif 000008
【図８】
0005523139.tif 000009
【図９】
0005523139.tif 000010
【図１０】
0005523139.tif 000011
【図１１】
0005523139.tif 000012
【図１２】
0005523139.tif 000013
【図１３】
0005523139.tif 000014